(57)【要約】  【課題】ガイドをセットするための操作が行い易いパンチを提供する。  【解決手段】パンチ本体に支持され用紙の左右方向の位置決めを行うためのガイドを具備してなるパンチであって、前記ガイドが、一端部を前記ガイド本体に枢支させガイド位置から退避位置までの間で回動し得るガイド本体と、このガイド本体に設けられ前記ガイド位置において前記用紙の端部を案内するストッパとを備えたものとした。【選択図】図５
2015020258.tif 000002
【特許請求の範囲】
【請求項１】
用紙受け面を有しその用紙受け面の奥端に用紙の前後方向の位置決めを行うための係止壁を備えたパンチ本体と、このパンチ本体の用紙受け面にセットされた用紙に抜き刃を貫通させて該用紙に孔をあける穿孔機構と、前記パンチ本体に支持され前記用紙の左右方向の位置決めを行うためのガイドとを具備してなるパンチであって、
前記ガイドが、一端部を前記パンチ本体に回転可能に支持させガイド位置から退避位置までの間で回動し得るガイド本体と、このガイド本体に設けられ前記ガイド位置において前記用紙の端部を案内するストッパとを備えたものであることを特徴とするパンチ。
【請求項２】
前記ガイドに強い外力が作用した場合の前記パンチ本体及びガイドに加わる衝撃を緩和する衝撃緩和手段を備えている請求項１記載のパンチ。
【請求項３】
前記ガイドに強い外力が作用した場合の前記パンチ本体及びガイドに加わる衝撃を緩和する衝撃緩和手段を備え、
前記衝撃緩和手段が、前記パンチ本体及びガイドの何れか一方に設けられた支軸と、他方に設けられこの支軸が挿脱可能に装着される軸支持部と、前記ガイドに前記外力による規定以上の回転力が作用した場合にその回転動作を前記支軸が前記軸支持部から抜ける方向の抜出動作に変換する動作変換機構とを備えたものである請求項１又は２記載のパンチ。
【請求項４】
前記ストッパが、前記ガイド本体に対して移動可能に構成されたものであり、前記パンチ本体が、前記ストッパが前記係止壁よりも前方に位置している場合に前記ガイド本体が前記退避位置に回動するのを阻止するための回動阻止手段を備えたものである請求項１、２又は３記載のパンチ。
【請求項５】
前記パンチ本体が、上側に前記用紙受け面を有し下側が開放されたベースと、このベースの下開口部を開閉可能に閉塞する受底とを備えたものであり、前記受底がその一側に前記ガイドを支持するためのガイド取付部を有したものである請求項１、２、３又は４記載のパンチ。
【発明の詳細な説明】
【技術分野】
【０００１】
本発明は、用紙に孔を形成するためのパンチに関する。
【背景技術】
【０００２】
従来から、用紙に綴じ用の孔を形成するためのパンチが知られている（例えば、特許文献１を参照）。
【０００３】
ところで、従来のパンチには、用紙を位置決めするために、用紙受け面を有したパンチ本体に対して突没可能に支持されたガイドを備えたものがある。かかるガイドには、先端側に用紙の端縁を当接させるストッパが立設されており、当該ガイド全体をパンチ本体に対して突没進退させることにより、立設されたストッパの位置を調整し用紙の位置決めに供するようにしている。
【０００４】
ところが、このようなものでは、ガイドがパンチ本体に対して突没するように支持されているものであるため、使用する都度必ず所定の位置にストッパの位置を合わせる必要があり、ガイドを所期の位置にセットするための操作が煩雑になるという一面がある。更に、ガイドを使用しない場合であっても、立設されたストッパが用紙受け面に近接して位置することになるため、ストッパが用紙に干渉してしまい作業性を損ねる場合もあった。
【先行技術文献】
【特許文献】
【０００５】
【特許文献１】特開２００５−１０３７１９号公報
【発明の概要】
【発明が解決しようとする課題】
【０００６】
本発明は、以上のような事情に着目してなされたものであり、少なくともガイドを所期の位置にセットするための操作が行い易いパンチを提供することにある。
【課題を解決するための手段】
【０００７】
すなわち、本発明は次の構成をなしている。
【０００８】
請求項１に記載のパンチは、用紙受け面を有しその用紙受け面の奥端に用紙の前後方向の位置決めを行うための係止壁を備えたパンチ本体と、このパンチ本体の用紙受け面にセットされた用紙に抜き刃を貫通させて該用紙に孔をあける穿孔機構と、前記パンチ本体に支持され前記用紙の左右方向の位置決めを行うためのガイドとを具備してなるパンチであって、前記ガイドが、一端部を前記パンチ本体に回転可能に支持させガイド位置から退避位置までの間で回動し得るガイド本体と、このガイド本体に設けられ前記ガイド位置において前記用紙の端部を案内するストッパとを備えたものである。
【０００９】
ここで、「用紙」とは、シート状になっているものであればよく、紙製のものの他、プラスチック製や金属製のものも含まれる。
【００１０】
請求項２に記載のパンチは、請求項１に係る構成において、前記ガイドに強い外力が作用した場合の前記パンチ本体及びガイドに加わる衝撃を緩和する衝撃緩和手段を備えているものである。
【００１１】
請求項３に記載のパンチは、請求項１又は２に係る構成において、前記ガイドに強い外力が作用した場合の前記パンチ本体及びガイドに加わる衝撃を緩和する衝撃緩和手段を備え、前記衝撃緩和手段が、前記パンチ本体及びガイドの何れか一方に設けられた支軸と、他方に設けられこの支軸が挿脱可能に装着される軸支持部と、前記ガイドに前記外力による規定以上の回転力が作用した場合にその回転動作を前記支軸が前記軸支持部から抜ける方向の抜出動作に変換する動作変換機構とを備えたものである。
【００１２】
請求項４に記載のパンチは、請求項１、２又は３に係る構成において、前記ストッパが、前記ガイド本体に対して移動可能に構成されたものであり、前記パンチ本体が、前記ストッパが前記係止壁よりも前方に位置している場合に前記ガイド本体が前記退避位置に回動するのを阻止するための回動阻止手段を備えたものである。
【００１３】
請求項５に記載のパンチは、請求項１、２、３又は４に係る構成において、前記パンチ本体が、上側に前記用紙受け面を有し下側が開放されたベースと、このベースの下開口部を開閉可能に閉塞する受底とを備えたものであり、前記受底がその一側に前記ガイドを支持するためのガイド取付部を有したものである。
【発明の効果】
【００１４】
以上説明したように本発明によれば、少なくともガイドを所期の位置にセットするための操作が行い易いパンチを提供することができる。
【図面の簡単な説明】
【００１５】
【図１】本発明の一実施形態を示す正面図。
【図２】同実施形態における背面図。
【図３】同実施形態における側面図（ガイドがガイド位置にある状態）。
【図４】同実施形態における側面図（ガイドが待機位置にある状態）。
【図５】同実施形態における平面図。
【図６】同実施形態における底面図。
【図７】同実施形態における分解斜視図。
【図８】同実施形態における部分拡大断面図。
【図９】同実施形態のガイドを説明するための分解斜視図。
【発明を実施するための形態】
【００１６】
以下、本発明の一実施形態を、図１〜９を参照して説明する。
【００１７】
この実施形態は、本発明を、手動操作により用紙Ｐに綴じ用の孔ｈを形成するための二穴固定式事務用孔あけ器であるパンチＡに適用したものである。
【００１８】
パンチＡは、用紙受け面１１を有しその用紙受け面１１の奥端に用紙Ｐの前後方向の位置決めを行うための係止壁１２を備えたパンチ本体１と、パンチ本体１の用紙受け面１１にセットされた用紙Ｐに抜き刃２１を貫通させて該用紙Ｐに孔ｈをあける穿孔機構２と、パンチ本体１に支持され用紙Ｐの左右方向の位置決めを行うためのガイドＧとを具備してなる。
【００１９】
以下、パンチＡについて詳述する。
【００２０】
パンチ本体１は、上側に略平面状をなす用紙受け面１１を有し下側が開放されたベースＢと、ベースＢの下開口部ｍを開閉可能に閉塞する受底Ｕと、ベースＢの上面に取り付けられたフレームＦとを備えている。
【００２１】
ベースＢは、金属製のもので、平面視において略縦長矩形状をなしている。ベースＢは、上面を用紙受け面１１とした天壁ｂ１と、天壁ｂ１の周縁部から下方に向かって延出する前後壁ｂ２、ｂ３、及び、左右の側壁ｂ４、ｂ５とを備えている。ベースＢは、前後壁ｂ２、ｂ３、及び、左右の側壁ｂ４、ｂ５によって下方に開口する下開口部ｍを構成する。後壁ｂ３の一端部すなわち左の端部は、平面視において斜め前方に向かって傾斜しており、対応する受底Ｕの一部分だけを用紙Ｐの抜けかす（図示せず）を廃棄するために開閉操作し易く形成している。
【００２２】
天壁ｂ１は、前側の部位に、穿孔されるべき用紙Ｐの下面側を支持するための用紙受け面１１を備えている。天壁ｂ１は、用紙受け面１１に対応する部位の２箇所に穿孔操作時に抜き刃２１が通過する抜き孔１３を有している。天壁ｂ１は、用紙受け面１１の奥端である後端部に、用紙Ｐの端縁を当接させて奥行き方向への移動を禁止するための壁である係止壁１２を備えている。天壁ｂ１は、用紙受け面１１よりも後側に位置する部位に抜き刃２１を上下動可能に支持するフレームＦを固定させている。天壁ｂ１は、中央部分に、左右の抜き孔１３ピッチの中心を示す目印１４が表示されている。
【００２３】
受底Ｕは、パンチ本体１に対して着脱可能に取り付けられるもので、樹脂により形成されている。受底Ｕは、その一側にガイドＧを支持するためのガイド取付部ｕ２を有している。受底Ｕは、ベースＢの下開口部ｍを閉塞する蓋機能を具備する受底本体ｕ１と、受底本体ｕ１の右側縁から平面視において外方に突出するように配されたガイド取付部ｕ２とを備えている。
【００２４】
受底本体ｕ１は、平面視において略矩形状をなすものであり、下面が家具の天板等の載置面Ｍに添設し得るようになっている。受底本体ｕ１は、底壁ｓ１と、底壁ｓ１の周縁部から上方に向かって延出する前後壁ｓ２、ｓ３、及び、左右の側壁ｓ４、ｓ５とを備え、これらによって囲まれた空間に用紙Ｐを穿孔する際に形成される抜けかすを収容できるようになっている。受底本体ｕ１の後角部分は、底壁ｓ１に設けられたヒンジ部１５を介して部分的に開閉可能になっており、抜けかすを廃棄する際の利便性を向上させている。左右の側壁ｓ４、ｓ５の前部分には、左右の側壁ｓ４、ｓ５の上端から上方に延出する壁である延出壁１６、１７を備えている。この実施形態では、右の延出壁１７が、後述する回動阻止手段Ｚを構成している。右の延出壁１７における外面側の支軸Ｊに近接する部位には、上下に延びる溝状の凹部ｖが設けられている。凹部ｖは、ガイドＧが用紙Ｐの左右方向の位置決めを行い得るガイド位置（ｇ）に位置する際に、ガイドＧの一端部すなわち基端部である軸支持部ｒの外面に突設された上下に延びる凸部３３と係合し得るようになっている。
【００２５】
ガイド取付部ｕ２は、受底本体ｕ１における右側縁の前部分から外側方に延出してなる基部Ｄと、基部Ｄの前部に配された支軸Ｊと、支軸Ｊに隣接して配され上縁ｗ１の位置が受底本体ｕ１に向かうにつれて漸次高くなるように形成された起立壁Ｗとを備えている。
【００２６】
基部Ｄは、ガイドＧがベースＢの側壁ｂ５と略平行に位置する退避位置（ｓ）にある際に、Ｌ字状をなすガイド本体３の下面及び内側面により囲まれた領域、より具体的には、ガイド部３１及び下延出部３２により囲まれた空間に入り込む寸法に設定された縦長矩形ブロック状のものである。基部Ｄは、前端部に支軸Ｊが略鉛直方向に立設されている。基部Ｄは、中間部分に弾性変形をし易くするためのＵ字状のスリットＤ２に囲まれた突部Ｄ１を備えている。突部Ｄ１は、上方向に突出するものであり、ガイドＧの下部に配された下向きの凹部３５と係合し得るようになっている。
【００２７】
支軸Ｊは、ダルマ形状をなしているもので、下端部である基端部に設けられたフランジ部Ｊ１と、フランジ部Ｊ１に連続して形成され先端側に向かうにつれて漸次小径になるように延びる支軸中間部Ｊ２と、支軸中間部Ｊ２に連続して形成され側面視において略半球状をなし下端部分が支軸中間部Ｊ２の上端部分の径よりも大きな径に設定された支軸先端部Ｊ３とを備えている。支軸中間部Ｊ２と支軸先端部Ｊ３の間には、側面視において寸法差に伴う段差であるくびれ部Ｊ４が形成されている。
【００２８】
起立壁Ｗは、支軸Ｊの前側に支軸Ｊを取り囲むように配されている。起立壁Ｗは、基部Ｄから鉛直方向に起立する壁状のもので、正面視において上縁ｗ１の位置がベースＢ側に向かうにつれて漸次高くなるように形成されている。起立壁ＷにおけるベースＢ側の側縁部分は延出壁１７を有した右の側壁ｓ５に連結している。起立壁Ｗは、ベースＢの反対側に比較的短寸の上下寸法を有する基端側縁ｗ２が形成されている。換言すれば、起立壁Ｗの端縁は、外側縁である基端側縁ｗ２と傾斜する上縁ｗ１とを有している。起立壁Ｗは、基端側縁ｗ２から上縁ｗ１に向かって傾斜している。
【００２９】
フレームＦは、左右２箇所に配されており、内部に抜き刃２１を収容するとともに、手動による穿孔操作を行うための作動ハンドル２２を回転可能に支持している。
【００３０】
穿孔機構２は、作動ハンドル２２と、作動ハンドル２２が上下に回転操作されることによって上下進退する抜き刃２１を主体に構成されたものである。すなわち、穿孔機構２は、パンチ本体１の用紙受け面１１にセットされた用紙Ｐに作動ハンドル２２の作動により抜き刃２１を貫通させて、用紙Ｐに孔ｈをあけるものである。この実施形態では、穿孔機構２は、抜き刃２１の先端側を用紙Ｐに孔ｈをあけるべく抜き孔１３内に位置させる操作位置と作動バネであるスプリング２３の弾性反発力により抜き刃２１を抜き孔１３内に位置しないフレームＦ内に位置させる待機位置との間で回動可能な作動ハンドル２２を備えている。抜き刃２１と作動ハンドル２２とは、中間部材２４を介して相互に接続している。作動ハンドル２２には、ロック用の軸Ｌが左右方向に進退可能に取り付けられており、このロック用の軸Ｌを利用して、作動ハンドル２２が操作位置にある状態において当該作動ハンドル２２をフレームＦに対してロックできるようになっている。なお、穿孔機構２は、既知の構成であるため、詳細な説明を省略する。
【００３１】
ガイドＧは、用紙Ｐに形成される孔ｈの位置を定めるために、用紙Ｐのパンチ本体１に対する位置決めを行うものである。ガイドＧは、一端部をパンチ本体１に回転可能に支持させている。ガイドＧは、略水平方向に回転可能に支持されている。ガイドＧは、用紙Ｐの位置決めを行い得る位置、すなわち、パンチ本体１から外側方に突出するガイド位置（ｇ）からパンチ本体１に沿うように配される退避位置（ｓ）までの間で回動し得るガイド本体３と、ガイド本体３に対して移動可能に設けられガイド位置（ｇ）において用紙Ｐの端部を案内するストッパ４とを備えている。ストッパ４は、退避位置（ｓ）において係止壁１２よりも後方に位置するように設定されている。
【００３２】
ガイド本体３は、鉤型或いはＬ字状に形成された樹脂製のもので、上面に用紙支持面３ｓを有したガイド部３１と、ガイド部３１の先端部から下方に向かって延出し下端が載置面Ｍに添設し得るように構成された脚部を構成し得る下延出部３２とを備えている。用紙支持面３ｓには、用紙サイズに合わせたガイド用の目盛りｍｅが表示されている。
【００３３】
ガイド部３１は、細長いブロック状のものであり、上面を構成する用紙支持面３ｓは、ガイド位置（ｇ）において、パンチ本体１の用紙受け面１１と略面一になるように設定されている。換言すれば、ガイド本体３の用紙支持面３ｓは、パンチ本体１の用紙受け面１１と略同じ高さ位置に設定されている。
【００３４】
ガイド部３１は、一端部である基端部にパンチ本体１の支軸Ｊに対して装脱可能に装着される軸孔ｒ１を有した軸支持部ｒと、軸支持部ｒの外周面に上下方向に延びるように形成された節度係合用の凸部３３と、両側面に形成されストッパ４を長手方向にスライド移動可能に案内するためのレール溝３４と、下端部に形成された節度係合用の凹部３５と、節度係合用の凸部３３に隣接する位置に形成され下端が開放されたスリット３６を備えている。
【００３５】
軸支持部ｒは、ガイド本体３の基端部に位置するもので、軸孔ｒ１を有した第一の筒状部ｒ２と、第一の筒状部の外側を取り囲むように形成された第二の筒状部ｒ３とを備えている。第一の筒状部ｒ２は、下端に内方に向かって突出する内向き凸部ｒｔを備えている。内向き凸部ｒｔは、支軸Ｊに軸支持部ｒが装着された状態において、支軸Ｊのくびれ部Ｊ４に位置するように設定されており、抜け止め機能を発揮し得るようになっている。第二の筒状部ｒ３は、支軸Ｊのフランジ部Ｊ１に外嵌し得る大きさに設定されている。第二の筒状部ｒ３には、上下方向に延び下端が開放されたスリット３６が形成されており、スリット３６に隣接する位置における外面に節度係合用の凸部３３が上下方向に延びる態様で形成されている。スリット３６は、凸部３３を前後方向（突没方向）に動き易くするためのものである。凸部３３は、凹部ｖに係合していない場合には、起立壁Ｗの内周面に押圧されて後方に移動し得るようになっている。
【００３６】
節度係合用の凸部３３は、ガイドＧがガイド位置（ｇ）に位置する場合に、受底本体ｕ１における側壁ｓ５に形成された凹溝ｖに係合し得るものである。
【００３７】
レール溝３４は、ガイド部３１の両側壁の外面側に形成されたものであり、内部にはストッパ４をガイド本体３に対して節度係合させるための凸部３４ｔを備えている。
【００３８】
節度係合用の凹部３５は、ガイド部３１の下部に形成されたもので、ガイドＧが退避位置（ｓ）に位置する場合に、ガイド取付部ｕ２の突部Ｄ１と係合し得るものである。
【００３９】
ストッパ４は、用紙Ｐの端部に当接可能に立設された当接部４１と、下端部をレール溝３４内に位置させてガイド本体３の上部を抱くようにして装着される取付部４２とを備えており、これら当接部４１と取付部４２とが樹脂により一体に形成されている。
【００４０】
当接部４１は、取付部４２の上端に立設された壁状のものである。当接部４１の少なくとも一部は、ガイド本体３がガイド位置（ｇ）にある場合に、正面視においてベースＢの用紙受け面１１よりも上に位置するように設定されている。
【００４１】
取付部４２は、下向きコ字状をなすものであり、ガイド本体３のレール溝３４に対応する位置に設けられレール溝３４内に間欠的に突設された凸部３４ｔと係わり合う内向き突出部４２ｔを備えている。内向き突出部４２ｔは、レール溝３４の凸部３４ｔに接し得る側に凸部３４ｔと嵌合するための凹み部分４２ｈを有したリング状の部材を主体に構成されている。内向き突出部４２ｔは、リング状の部材を有しているので、レール溝３４をスライド移動する際に、レール溝３４内の凸部３４ｔに押圧されて一時的に弾性変形する。このため、ストッパ４は、凸部３４ｔと凹み部分４２とが係合してガイド本体３に対して所定の箇所で節度停止することができるだけでなく、ガイド本体３に対してスムーズにスライド移動し得るものとなる。
【００４２】
パンチＡは、ガイド本体３とパンチ本体１との間に、ガイド本体１を退避位置（ｓ）及びガイド位置（ｇ）において節度停止（クリックストップ）させるための節度機構ｃ１、ｃ２を設けている。パンチＡは、ガイドＧの収納時に位置する退避位置（ｓ）及びガイドＧの使用時に位置するガイド位置（ｇ）の両状態において、節度機構ｃ１、ｃ２が有効に機能するようになっている。すなわち、パンチＡは、ガイド本体３とパンチ本体１との間に、ガイド本体３をガイド位置（ｇ）において節度停止させるための第一の節度機構ｃ１を設けており、本実施形態における第一の節度機構ｃ１はガイド本体１の凸部３３とパンチ本体１の凹溝ｖを主体に構成している。パンチＡは、ガイド本体３とパンチ本体１との間に、ガイド本体３を退避位置（ｓ）において節度停止させるための第二の節度機構ｃ２を設けており、本実施形態における第二の節度機構ｃ２はガイド本体３の凹部３５とパンチ本体１の突部Ｄ１を主体に構成している。なお、第二の節度機構ｃ２を構成する凹部３５及び突部Ｄ１は無くてもよい。例えば、上記凹部３５及び突部Ｄ１の構成に代えて、図５において示すようにガイド本体１に凸部３３’（ｃ１’）を設け、退避位置（ｓ）において、パンチ本体１の凹溝ｖに係わり合うように構成しても良い。
【００４３】
パンチＡは、ストッパ４がガイド本体３に対してスライド移動できるように構成されている。そして、パンチ本体１は、ストッパ４が係止壁１２よりも側面視において前側に位置している場合に、ガイド本体３が退避位置（ｓ）に回動するのを阻止するための回動阻止手段Ｚを備えている。本実施形態では、回動阻止手段Ｚが、ストッパ４とパンチ本体１の受底Ｕに設けられた延出壁１７とを主体に構成されている。つまり、ストッパ４が係止壁１２よりも前側に位置した状態でガイド本体３が退避位置（ｓ）に向かって回動操作された場合には、ストッパ４の軌道上に配されたパンチ本体１の延出壁１７にストッパ４が衝突し、結果としてガイド本体３の移動が途中で阻止され、ガイド本体３が退避位置（ｓ）にまで到達できないようになっている。換言すれば、パンチＡは、回動阻止手段Ｚを備えているため、ストッパ４が側面視において係止壁１２よりも後方に位置している場合に限って、ガイド本体３を退避位置（ｓ）に位置させることができるようになっている。このため、ガイド本体３が退避位置（ｓ）に位置している場合には、ストッパ４が用紙Ｐに干渉しないことになる。
【００４４】
パンチＡは、ガイドＧに強い外力が作用した場合のパンチ本体１及びガイドＧに加わる衝撃を緩和する衝撃緩和手段Ｘを備えている。なお、「ガイドＧに強い外力が作用した場合」とは、パンチ本体１に対するガイドＧの所期の回動範囲を超えてガイドＧを回動させる強さの外力であり、典型的な例としては、パンチＡを誤って床面等に落下させた際にガイドＧが床面等に衝突して受ける外力や、パンチＡを移動する際にガイドＧが家具等の物品に誤って衝突して受ける外力等が挙げられる。
【００４５】
本実施形態では、衝撃緩和手段Ｘは、ガイドＧに加わる外力を利用して当該ガイドＧをパンチ本体１から離脱させるように構成している。具体的には、衝撃緩和手段Ｘは、パンチ本体１の支軸Ｊと、ガイドＧの軸支持部ｒと、ガイドＧに外力による規定以上の回転力が作用した場合にガイドＧの回転動作を支軸Ｊが軸支持部ｒから抜ける方向の抜出動作に変換する動作変換機構ｙとを備えている。なお、「規定以上の回転力」とは、規定されたガイドＧの所期の回転範囲を超え得る回転力を意味する。つまり、通常の回転力ではガイドＧが構造的に規制された所定の回転範囲内（本実施形態では軸支持部ｒを支点にしたガイド位置（ｇ）と退避位置（ｓ）間の約９０°の回転範囲内）で回動するが、ガイドＧが外力を受け規定以上の回転力が作用した場合には、ガイドＧが構造的に規制された所定の回転範囲内を超えて回動することになる。本実施形態では、動作変換機構ｙは、ガイドＧの下縁部３７、すなわち、ガイド部３１の下縁３７と、受底Ｕに形成された起立壁Ｗを主体に構成されている。
【００４６】
衝撃緩和手段Ｘは、ガイドＧに加わる外力により、ガイド位置（ｇ）にあるガイドＧの自由端がさらに前方に移動する方向に規定以上の回転力が作用した場合に、起立壁Ｗの基端側縁ｗ２による回転規制が樹脂の弾性変形により解除され、ガイド部３１の下縁３７が、上縁ｗ１を傾斜させた起立壁Ｗに乗り上がるように構成している。この際、第二の筒状部ｒ３に形成されたスリット３６は、フランジ部Ｊとの係わり合いを解除し易くしており、ガイド部３１の下縁３７が起立壁Ｗの上縁ｗ１に乗り上がるための一時的な弾性変形を促している。ガイドＧの回転動作は、起立壁Ｗの上縁ｗ１の傾斜に案内されて、ガイドＧの基端部が支軸Ｊから抜ける方向となる上方への抜出動作に変換される。以上のようにして、衝撃緩和手段Ｘは、ガイド部３１の下縁３７と起立壁ｗ１とを備えた動作変換機構ｙによる動作変換作用により、パンチ本体１の支軸ＪとガイドＧの軸支持部ｒとの係わり合いが強制的に解除されるように構成されている。
【００４７】
さらに、パンチＡは、ベースＢ及び受底Ｕに加わる衝撃を緩和する第二の衝撃緩和手段Ｈを備えている。第二の衝撃緩和手段Ｈは、受底Ｕに加わる衝撃に対し、受底ＵをベースＢから離脱させるように構成したものであり、主として落下時等における樹脂製の受底Ｕの破損を抑制するためのものである。この実施形態では、第二の衝撃緩和手段Ｈは、受底本体ｕ１における底壁ｓ１の左縁部分に上向きに突出して形成された左側のリブｈ１と、底壁ｓ１の右縁部分に上向きに突出して形成された右側のリブｈ２と、落下時等の強い衝撃を受けた際に当該左右側のリブｈ１、ｈ２と係わり得るベースＢの左右の側壁ｂ４、ｂ５とを主体に構成されている。第二の衝撃緩和手段Ｈは、例えば、パンチＡが落下した場合に、受底Ｕが得たベースＢからの衝撃を受底Ｕの前後壁ｓ２、ｓ３及び左右側壁ｓ４、ｓ５のみにより受け止めることを阻止する機能を発揮するものである。すなわち、パンチＡが、右側を下にして（図７における符号Ｅの方向）に落下した場合には、左側のリブｈ１がベースＢの左の側壁ｂ４と係わり合い衝撃の一部を受け止めることになる。他方、パンチＡが、左側を下にして（図７における符号Ｋの方向）に落下した場合には、右側のリブｈ２がベースＢの右の側壁ｂ５と係わり合い衝撃の一部を受け止めることになる。
【００４８】
このようにして、本実施形態のパンチＡは、衝撃緩和手段Ｘ及び第二の衝撃緩和手段Ｈにより、ガイドＧのみならず受底Ｕ全体の衝撃を緩和することができるようになっている。換言すれば、パンチＡは、どのような姿勢で落下しても、ガイド部Ｇにかかる衝撃を緩和することができるとともに、受底Ｕにかかる衝撃を緩和することができるようになっている。
【００４９】
以上説明したように、本実施形態に係るパンチＡは、用紙受け面１１を有しその用紙受け面１１の奥端に用紙Ｐの前後方向の位置決めを行うための係止壁１２を備えたパンチ本体１と、パンチ本体１の用紙受け面１１にセットされた用紙Ｐに抜き刃２１を貫通させて該用紙Ｐに孔ｈをあける穿孔機構２と、パンチ本体１に支持され用紙Ｐの左右方向の位置決めを行うためのガイドＧとを具備している。そして、ガイドＧが、一端部をパンチ本体１に回転可能に支持させガイド位置（ｇ）から退避位置（ｓ）までの間で回動し得るガイド本体１と、ガイド本体１に設けられガイド位置（ｇ）において用紙Ｐの端部を案内するストッパ４とを備えている。このため、ガイドＧを所期の位置であるガイド位置（ｇ）にセットするための操作が行い易いパンチＡを提供することができるものとなる。すなわち、ガイドＧの一端部がパンチ本体１に回転可能に支持されているため、ガイドＧを回転操作すれば、ガイドＧを用紙Ｐの左右方向の位置決め可能な状態にすることができるものとなる。
【００５０】
一般に、特定の事務作業に供されるパンチＡは、穿孔されるべき用紙Ｐが特定の大きさのものに集中することが多い。例えば、Ａ４サイズの用紙Ｐを多く取り扱う業務であれば、孔あけする対象となる用紙ＰはＡ４サイズに集中するものとなる。さらに、用紙Ｐを綴じる方向も、その業務における規則や所有するファイル等に応じて特定されることが多い。例えば、Ａ４用紙の長手方向の縁部に孔ｈを穿孔する割合が極めて高い場合などが考えられる。以上の例に対し、本実施形態に係るパンチＡであれば、ガイドＧのストッパ４をあらかじめ「Ａ４ヨコ」の位置に設定しておけば、単に、ガイドＧを退避位置（ｓ）からガイド位置（ｇ）に回転操作するだけで、Ａ４サイズの用紙Ｐの長手方向の縁部に孔ｈを形成するべく左右方向の位置決めができる状態にすることができるものとなる。
【００５１】
ガイドＧに強い外力が作用した場合のパンチ本体１及びガイドＧに加わる衝撃を緩和する衝撃緩和手段Ｘを備えているため、パンチ本体１とガイドＧとの接続部分が衝撃に伴って変形や破損すること等を抑制するものとなる。
【００５２】
衝撃緩和手段Ｘが、ガイドＧに加わる外力を利用して当該ガイドＧをパンチ本体１から離脱させるように構成しているものであるため、ガイドＧ及びパンチ本体１が連結していることに伴う変形や破損等の発生を抑制し得るものとなる。
【００５３】
衝撃緩和手段Ｘが、パンチ本体１に設けられた支軸Ｊと、ガイドＧに設けられ支軸Ｊが挿脱可能に装着される軸支持部ｒと、ガイドＧに外力による規定以上の回転力が作用した場合にその回転動作を支軸Ｊが軸支持部ｒから抜ける方向の抜出動作に変換する動作変換機構ｙとを備えている。このため、支軸Ｊと軸支持部ｒとによる連結を動作変換機構ｙにより好適に解除させるものとなる。特に本実施形態では、動作変換機構ｙが起立壁Ｗであり、傾斜する上縁ｗ１により動作変更を惹起するカム機能を発揮するようにしているため、ガイドＧの軸支持部ｒを支軸Ｊから抜ける方向の抜出動作に好適に変換することができるものとなる。
【００５４】
ガイド位置（ｇ）において、ガイド本体３の用紙支持面３ｓがパンチ本体１の用紙受け面１１と略面一になるように設定されている。このため、穿孔されるべき用紙Ｐが用紙受け面１１上にセットされた際に、用紙Ｐがガイド本体３側において下方に垂れさがることを好適に抑制し、用紙Ｐの姿勢の安定に寄与するものとなる。
【００５５】
ガイドＧのストッパ４が、退避位置（ｓ）において係止壁１２よりも後方に位置するように設定されているため、ガイドＧによる用紙Ｐの位置決めを行わない場合には、ストッパ４が用紙Ｐに干渉しないものとなる。
【００５６】
ストッパ４が、ガイド本体３に対して移動可能に構成されているものであるため、用紙Ｐのサイズに対応させて位置決め箇所を変更することができるものとなる。
【００５７】
パンチ本体１が、ストッパ４が係止壁１２よりも前方に位置している場合にガイド本体３が退避位置（ｓ）に回動するのを阻止するための回動阻止手段Ｚを備えている。このため、ガイドＧを使用しない場合に、ストッパ４が用紙Ｐに干渉することを好適に抑制させるものとなる。すなわち、用紙Ｐの位置決めを行わない場合には、通常はガイドＧを退避位置（ｓ）に位置させることになるが、ガイドＧを退避位置（ｓ）に移動するには、ストッパ４の位置をガイド本体３の先端側に移動させることが要件となるため、使用者に対して退避位置（ｓ）におけるストッパ４の位置を好適に認識させるものとなる。
【００５８】
パンチ本体１が、上側に用紙受け面１１を有し下側が開放されたベースＢと、ベースＢの下開口部ｍを開閉可能に閉塞する受底Ｕとを備えている。そして、受底Ｕの一側にガイドＧを支持するためのガイド取付部ｕ２を有している。このため、受底ＵにガイドＧを回転可能に支持させるものとなるため、設計の自由度に優れたものとなる。
【００５９】
ガイド本体３とパンチ本体１との間に、ガイド本体３を退避位置（ｓ）及びガイド位置（ｇ）において節度停止させるための節度機構を設けているため、退避位置（ｓ）とガイド位置（ｇ）においてガイド本体３をパンチ本体１に対して好適に位置決めすることができるものとなる。
【００６０】
なお、本発明は、以上に詳述した実施形態に限られるものではない。
【００６１】
ガイド本体は、一端部をパンチ本体に回転可能に支持させガイド位置から退避位置までの間で回動し得るものであればよい。すなわち、ガイド本体は、上述した実施形態のように、略水平方向に回転可能に支持されたものには限定されない。例えば、ガイド本体がパンチ本体に対して斜めに回転するものであってもよいし、パンチ本体に対して直交する方向（鉛直方向）に回転するものであってもよい。
【００６２】
穿孔機構は、本実施形態に示されるような手動操作によるものには限定されない。穿孔機構は、電動によるものも含まれる。
【００６３】
ガイドのストッパは、ガイド本体と別体に構成されたものには限られず、一体に構成されたものであっても良い。
【００６４】
衝撃緩和手段は、ガイドをパンチ本体から離脱させるものには限られない。例えば、パンチ本体とガイドとの接続部分に局所的に応力が集中しないようにするべく、ガイドの基端に球状の部位を設けるとともにパンチ本体に球状の部位を保持する保持部を設け、これらを接続するように構成してもよい。これとは逆に、パンチ本体に球状の部位を設けるとともにガイドの基端に球状の部位を保持する保持部を設け、これらを接続するように構成しても良い。または、ガイドとパンチ本体とをユニバーサルジョイントを介して接続するものなどが考えられる。或いは、ガイドを、複数の棒状部材を回転可能に連結したものとし、ガイド位置にある場合に、用紙の左右方向の位置決めをできる形状に保持されるように構成してもよい。
【００６５】
上述した実施形態とは逆に、ガイドに支軸を備えるとともにパンチ本体に軸支持部を備えるように構成してもよい。
【００６６】
動作変換機構は、種々の態様のものを適用することができ、起立壁を備えたものに限定されない。すなわち、動作変換機構は、いわゆるカム機能を利用した構成を具備するものであればよい。例えば、パンチ本体と当接する傾斜した部位をガイド側に設けるように構成してもよいし、パンチ本体とガイドの両方にそれぞれ傾斜した部位を設けるようにしてもよい。
【００６７】
起立壁は、ガイドの外側に位置させたものには限られず、ガイドの中側に位置させるようにしてもよい。
【００６８】
パンチは、奥行き調整機能を付加したものであってもよいのはもちろんのことである。
【００６９】
ベースは、上述した実施形態において平面視において略縦長矩形状をなしているものを説明したが、このようなものには限定されず、どのような形状であってもよい。
【００７０】
その他、各部の具体的構成についても上記実施形態に限られるものではなく、本発明の趣旨を逸脱しない範囲で種々変形が可能である。
【符号の説明】
【００７１】
１…パンチ本体
２…穿孔機構
３…ガイド本体
４…ストッパ
Ａ…パンチ
Ｂ…ベース
Ｇ…ガイド
Ｕ…受底
【図１】
2015020258.tif 000003
【図２】
2015020258.tif 000004
【図３】
2015020258.tif 000005
【図４】
2015020258.tif 000006
【図５】
2015020258.tif 000007
【図６】
2015020258.tif 000008
【図７】
2015020258.tif 000009
【図８】
2015020258.tif 000010
【図９】
2015020258.tif 000011